(57)【特許請求の範囲】
【請求項１】
データ受信装置において、
複数種のメモリと、
複数のカテゴリに分類されるデータと、前記カテゴリに応じたカテゴリＩＤ信号を受信する受信手段と、
前記受信手段で受信した該カテゴリＩＤ信号を検出するカテゴリＩＤ信号検出手段と、
前記複数種のメモリの記録可能容量を検出するメモリ容量検出手段と、
前記メモリ容量検出手段で検出した複数種のメモリの残量表示を行うための表示処理手段と、
前記表示処理手段によって表示された複数種のメモリの残量表示に基づいて、前記複数種のメモリから所望のメモリを選択する選択手段とを備え、
前記受信したデータを該カテゴリＩＤ信号をもとに前記選択された所望のメモリに記録する
ことを特徴とするデータ受信装置。
【請求項２】
前記メモリ容量検出手段で検出した複数種のメモリの残量表示をリモートコントローラ表示部に表示するための処理手段を有することを特徴とする請求項１記載のデータ受信装置。
【請求項３】
複数種のメモリでなる記録媒体は、当該装置の外部より着脱自在としたことを特徴とする請求項１記載のデータ受信装置。
【請求項４】
複数種のメモリでなる記録媒体は、少なくともディスク状記録媒体を用いた光ディスクと、書込み／読み出し可能な半導体記憶媒体とからなることを特徴とする請求項１記載のデータ受信装置。
【請求項５】
データ受信装置において、
複数種のメモリと、
複数のカテゴリに分類されるデータと、メモリ選択コード信号を含むカテゴリＩＤ信号を受信する受信手段と、
前記受信手段で受信した該カテゴリＩＤ信号中の前記メモリ選択コード信号を検出するコード信号検出手段と、
前記コード信号検出手段の出力に応じて、前記複数種のメモリから最適なメモリを選択する選択手段とを備え、
受信したデータを該メモリ選択コード信号をもとに前記選択された最適なメモリに記録する
ことを特徴とするデータ受信装置。
【請求項６】
前記選択された最適メモリの表示または選択された最適メモリの残量表示を行うための表示処理手段を有することを特徴とする請求項５記載のデータ受信装置。
【請求項７】
前記選択された最適メモリの表示または選択された最適メモリの残量表示をリモートコントローラ表示部に表示するための処理手段を有することを特徴とする請求項５記載のデータ受信装置。
【請求項８】
複数種のメモリでなる記録媒体は、当該装置の外部より着脱自在としたことを特徴とする請求項５記載のデータ受信装置。
【請求項９】
複数種のメモリでなる記録媒体は、少なくともディスク状記録媒体を用いた光ディスクと、書込み／読み出し可能な半導体記憶媒体とからなることを特徴とする請求項５記載のデータ受信装置。
【請求項１０】
複数種のメモリを有するデータ受信装置におけるデータ記録方法において、
複数のカテゴリに分類されるデータと、前記カテゴリに応じたカテゴリＩＤ信号を受信する受信ステップと、
前記受信ステップで受信した該カテゴリＩＤ信号を検出するカテゴリ信号検出ステップと、
前記複数種のメモリの記録可能容量を検出するメモリ容量検出ステップと、
前記メモリ容量検出ステップにおいて検出した複数種のメモリの残量表示を行うための表示処理ステップと、
前記表示処理ステップにおいて表示された複数種のメモリの残量表示に基づいて、前記複数種のメモリから所望のメモリを選択する選択ステップとを備え、
前記受信したデータを該カテゴリＩＤ信号をもとに前記選択された所望のメモリに記録する
ことを特徴とするデータ受信方法。
【請求項１１】
複数種のメモリを有するデータ受信装置におけるデータ記録方法において、
複数のカテゴリに分類されるデータと、メモリ選択コード信号を含むカテゴリＩＤ信号を受信する受信ステップと、
前記受信ステップで受信した該カテゴリＩＤ信号中の前記メモリ選択コード信号を検出するコード信号検出ステップと、
前記コード信号検出ステップの出力に応じて、前記複数種のメモリから最適なメモリを選択する選択ステップとを備え、
受信したデータを該メモリ選択コード信号をもとに前記選択された最適なメモリに記録する
ことを特徴とするデータ記録方法。
【発明の詳細な説明】
【０００１】
【発明の属する技術分野】
本発明は大容量メモリを備えた例えばテレビジョン装置等に好適なデータ受信装置であり、特に各種のメモリ手段から、記録すべき受信内容のカテゴリＩＤ信号に応じて、最適なメモリ手段を自動的に選択する機能を備えたデータ受信装置に関するものである。
【０００２】
【従来の技術】
近年、電気通信技術の目覚ましい発展により、無線系、有線系のニューメディアが続々登場してきている。高画質のハイビジョン（ＨＤＴＶ）や、クリアビジョン（ＥＤＴＶ）、静止画放送、文字放送、データ放送、２４時間の衛星放送（ＢＳ／ＣＳ）、そして双方向サービス時代におけるケーブルテレビ（ＣＡＴＶ）も普及が期待されている。
【０００３】
また、これらのニューメディアが放送する番組ソフトも多種多様であり、映画、スポーツ、ニュース、そしてクイズ番組等の娯楽鑑賞を中心とした従来の番組ソフトに加え、新たに双方向の特徴を生かした、例えばゲームソフトや、カラオケソフト、地域コミュニティ情報、図書館資料、ホームショッピング情報、在宅医療サービス情報、更には番組ソフト予約や、各種イベント予約サービス等を提供する実験も開始されている。
【０００４】
また、放送メディアのデジタル化の動向も加速しつつあり、現行のアナログ放送も将来はデジタル放送方式への移行が計画され、その後各ネットワークを統合した総合デジタル放送（ＩＳＤＢ：Ｉｎｔｅｇｒａｔｅｄ  ＳｅｒｖｉｃｅｓＤｉｇｉｔａｌ  Ｂｒｏａｄｃａｓｔｉｎｇ）への移行も計画中である。
【０００５】
一方、記録メディアの発達も著しく、半導体メモリの大容量化やディスク状記録媒体を用いた記録装置の大容量化や高速処理化が一段と進行しつつあり、書換え可能な光磁気ディスク（ＭＯ：Ｍａｇｎｅｔｏ  Ｏｐｔｉｃａｌ）や、新たに光強度を変化させてデータの記録／再生を行う相変化型光ディスク（ＰＣ：Ｐｈａｓｅ  Ｃｈａｎｇｅ）方式も開発されている。この相変化型光ディスクはオーバーライト可能なことから今後が期待されており、その関連の所謂ミニディスク（以下、単に「ＭＤ」と記す）や、デジタルビデオディスク（以下、単に「ＤＶＤ」と記す）の発達も目ざましく、現在１２センチのコンパクトディスク（以下、単に「ＣＤ」と記す）に後述する「ＭＰＥＧ２」レベルの動画を２時間程度記録可能な装置が開発されつつある。
【０００６】
更に、画像と音声信号の圧縮符号化技術の発達も著しく、この圧縮符号化技術の発達により、実際に必要なデータ量を圧縮して削減し、放送に限定されず、通信や記録メディアの媒体を介して、画像と音声信号及びデータ情報を短時間で大量に伝達し、且つ記録／再生する技術も開発されつつある。この画像と音声信号の圧縮符号化技術は、既に実用化の段階にあるＭＰＥＧ１から拡張されたＭＰＥＧ２（Ｍｏｖｉｎｇ  Ｐｉｃｔｕｒｅ  Ｉｍａｇｅ  Ｃｏｄｉｎｇ  ＥｘｐｅｒｔｓＧｒｏｕｐ  Ｐｈａｓｅ  ２）と呼称される画像／音声圧縮の世界標準方式により実用化の段階を迎えている。
【０００７】
このＭＰＥＧ２は、通常のテレビジョン放送からハイビジョン放送までを対象とした高画質仕様であり、画像や音声信号を３〜９Ｍビット／秒程度まで圧縮することが想定される。また、将来的に各家庭において上述のようなニューメディアサービスが利用されることを想定して、放送／通信／記録メディアの相互利用が可能な汎用符号化方式であることを主眼に標準化がなされている。
【０００８】
前記ＭＰＥＧ２等の圧縮符号化技術を用いることにより、前記ＭＤには１時間程度、記録／再生可能なＣＤや今後開発が期待されるＤＶＤにはそれぞれ２時間程度、磁気テープ媒体上にデジタル信号を記録するデジタルビデオテープレコーダ（以下、単に「ＤＶＴＲ」と記す）には２１時間程度、また再記録可能な大容量半導体メモリ（以下、単に「ＲＡＭ」と記す）上には１０分程度、それぞれ記録／再生が可能となる。
【０００９】
【発明が解決しようとする課題】
しかし、上述のような新たな放送サービスから提供されるこれらの番組ソフトは、映画ソフトの如く数時間に及ぶものから、僅か数分のソフトまで各種存在する。また、これらの番組ソフトは動画や静止画が混在しており、更には所謂映像周波数を有するデジタル放送信号であり、単なるグラフィック画像信号である。これによりこれらの番組ソフトを効率良く記録媒体に記録するためには、番組ソフトの時間長が同一である場合にも、記録媒体の性質や最大記録可能容量にも考慮する必要がある。
【００１０】
また、前記番組ソフトを各種記録媒体に記録する場合には、記録後の番組ソフトの再生、検索、保存、そして編集を効率良く行うために、番組ソフトの内容に応じた最適な記録媒体を選択することが望まれる。例えば、長時間にわたる映画ソフトの記録であれば長時間記録容量のあるＤＶＴＲの記録媒体を選択することが好ましく、ゲームソフトであればＲＡＭを選択することが望ましい。更に、前記ホームショッピング情報や、図書館資料、カラオケ等の番組ソフトであれば、読出しアクセスの容易なＣＤかＭＤを選択するのが最適である。
【００１１】
更にまた、これらの記録媒体も視聴者（ユーザ）の保有する受信装置に必ず常備しているとは限らず、オプション的に装填される記録媒体も存在するとすれば、記録すべき番組ソフトとユーザの保有する記録媒体に応じて優先順序を規定して使用する必要が生じる。しかしながら、記録すべき番組ソフトに応じてユーザの保有する記録媒体をユーザ自身が選択することは困難を究め、それらの記録媒体の機能を充分に活用できない虞れがあるばかりか、時には記録自体を失敗する可能性もある。
【００１２】
本発明は以上のような問題点を解決することを課題とするものであり、所望の番組ソフトの種別や時間長に適した記録媒体を選択すること、また、記録媒体の機能を理解して記録媒体の過不足のない利用を可能とし、更に失敗のない記録を可能とするデータ受信装置を提供するものである。
【００１３】
【課題を解決するための手段】
本発明のデータ受信装置は、複数種のメモリと、複数のカテゴリに分類されるデータと、前記カテゴリに応じたカテゴリＩＤ信号を受信する受信手段と、前記受信手段で受信した該カテゴリＩＤ信号を検出するカテゴリＩＤ信号検出手段と、前記複数種のメモリの記録可能容量を検出するメモリ容量検出手段と、前記メモリ容量検出手段で検出した複数種のメモリの残量表示を行うための表示処理手段と、前記表示処理手段によって表示された複数種のメモリの残量表示に基づいて、前記複数種のメモリから所望のメモリを選択する選択手段とを備え、前記受信したデータを該カテゴリＩＤ信号をもとに前記選択された所望のメモリに記録することにより、上述した課題を解決する。
【００１４】
また、本発明のデータ受信装置は、記録方式の異なる複数種のメモリと、複数のカテゴリに分類されるデータと、メモリ選択コード信号を含むカテゴリＩＤ信号を受信する受信手段と、前記受信手段で受信した該カテゴリＩＤ信号中の前記メモリ選択コード信号を検出するコード信号検出手段と、前記コード信号検出手段の出力に応じて、前記複数種のメモリから最適なメモリを選択する選択手段とを備え、受信したデータを該メモリ選択コード信号をもとに前記選択された最適なメモリに記録することにより、上述した課題を解決する。
【００１５】
次に、本発明のデータ記録方法は、複数種のメモリを有するデータ受信装置におけるデータ記録方法において、複数のカテゴリに分類されるデータと、メモリ選択コード信号を含むカテゴリＩＤ信号を受信する受信ステップと、前記受信ステップで受信した該カテゴリＩＤ信号を検出するカテゴリ信号検出ステップと、前記複数種のメモリの記録可能容量を検出するメモリ容量検出ステップと、前記メモリ容量検出ステップにおいて検出した複数種のメモリの残量表示を行うための表示処理ステップと、前記表示処理ステップにおいて表示された複数種のメモリの残量表示に基づいて、前記複数種のメモリから所望のメモリを選択する選択ステップとを備え、前記受信したデータを該カテゴリＩＤ信号をもとに前記選択された所望のメモリに記録することにより、上述した課題を解決する。
【００１６】
また、本発明のデータ記録方法は、記録方式の異なる複数種のメモリを有するデータ受信装置におけるデータ記録方法であり、複数のカテゴリに分類されるデータと、メモリ選択コード信号を含むカテゴリＩＤ信号を受信する受信ステップと、前記受信ステップで受信した該カテゴリＩＤ信号中の前記メモリ選択コード信号を検出するコード信号検出ステップと、前記コード信号検出ステップの出力に応じて、前記複数種のメモリから最適なメモリを選択する選択ステップとを備え、受信したデータを該メモリ選択コード信号をもとに前記選択された最適なメモリに記録することにより、上述した課題を解決する。
【００１７】
すなわち、本発明では、例えば大容量メモリを備えたテレビジョン装置において、複数のカテゴリに分類されるビデオ信号と、そのカテゴリに応じたカテゴリＩＤ信号を受信する受信手段と、その受信手段で受信したカテゴリＩＤ信号を検出するカテゴリＩＤ信号検出手段と、複数種のメモリ手段と、前記複数種のメモリの記録可能容量を検出するメモリ容量検出手段とを備えた。そして、前記メモリ容量検出手段で検出した複数種のメモリの残量表示を行うための表示処理手段と、前記表示処理手段によって表示された複数種のメモリの残量表示に基づいて、前記複数種のメモリから所望のメモリを選択する選択手段とを備え、受信するビデオ信号を複数種のメモリの残量表示を基に選択された所望メモリ手段に記録する。
【００１８】
このとき、大容量メモリを備えたテレビジョン装置において、複数のカテゴリに分類されるビデオ信号と、メモリ手段選択コード信号を含むカテゴリＩＤ信号を受信する受信手段と、カテゴリＩＤ信号中のメモリ手段選択コード信号を検出するコード信号検出手段と、記録方式の異なる複数種のメモリ手段と、複数種のメモリ手段の記録可能容量を検出するメモリ容量検出手段とを備えた。そして、前記コード信号検出手段の出力に応じて、前記複数種のメモリ手段内の最適メモリ手段を選択する選択手段と、受信ビデオ信号を該コード信号を基に選択された最適メモリ手段に記録する。
【００１９】
また、選択された最適なメモリ手段の選択表示をテレビジョン装置上やリモコン上で行い、また、選択された最適なメモリ手段のメモリの残量表示をテレビジョン装置上やリモコン上で行うことを可能とした。
【００２０】
更に、複数種のメモリ手段の記録媒体は前記マルチメディア記録装置の外部より着脱自在とし、前記複数種のメモリ手段の記録媒体は、少なくともディスク状記録媒体を用いた光ディスクと、書き込み／読み出し可能な半導体記憶媒体とからなる。
【００２１】
更に、本装置は複数のカテゴリに分類されるビデオ信号と、そのカテゴリに応じたカテゴリＩＤ信号を受信する受信手段と、前記受信手段で受信したカテゴリＩＤ信号を検出するカテゴリＩＤ信号検出工程と、記録方式の異なる複数種のメモリ手段と、前記複数種のメモリ手段の記録可能容量を検出するメモリ容量検出工程とを有した。そして、前記カテゴリＩＤ信号検出工程と前記メモリ容量検出工程の出力を比較することによって、前記複数種のメモリ手段内の最適メモリ手段を選択する選択工程とを有し、受信するビデオ信号を該カテゴリＩＤ信号を基に選択された最適メモリ手段に記録する方法を採ることとした。
【００２２】
更に、本装置は複数のカテゴリに分類されるビデオ信号と、メモリ手段選択コード信号を含むカテゴリＩＤ信号を受信する受信手段と、前記カテゴリＩＤ信号中のメモリ手段選択コード信号を検出するコード信号検出工程と、記録方式の異なる複数種のメモリ手段と、複数種のメモリ手段の記録可能容量を検出するメモリ容量検出工程とを有した。そして、前記コード信号検出手段の出力に応じて、前記複数種のメモリ手段内の最適メモリ手段を選択する選択工程とを有し、受信するビデオ信号を該コード信号を基に選択された最適メモリ手段に記録する方法を採ることで前記課題を解決した。
【００２３】
本発明によれば、大容量メモリを備えたテレビジョン装置において、かかる各種の大容量メモリ手段から、記録すべき放送サービスや所望の番組ソフトの、カテゴリや時間長を含むカテゴリＩＤ信号に応じて、最適なメモリ手段を選択して記録するため、常に最適な記録状態を実現することが可能となる。
【００２４】
【発明の実施の形態】
以下、図１ないし図７を参照して、本発明のデータ受信装置の一実施の形態としてのマルチメディア記録装置及び記録方法を説明する。
【００２５】
図１は本発明実施の形態のマルチメディア記録装置の概念図であり、図２は本発明実施の形態のマルチメディア記録装置のリモートコントローラ（リモコン）部の一例を示す図であり、図３は本発明実施の形態のマルチメディア記録装置に関連する放送局センタを示す図であり、図４は本発明実施の形態のマルチメディア記録装置の要部を示すブロック図であり、図５は本発明実施の形態のＩＤ信号アロケーションの説明に供する概略図であり、図６は本発明実施の形態のマルチメディア記録装置の第１の具体例の説明に供するフローチャート図であり、そして図７は本発明実施の形態のマルチメディア記録装置の第２の具体例の説明に供するフローチャート図である。
【００２６】
先ず、図１を参照して本発明実施の形態のマルチメディア記録装置の構成を説明する。符号１は本発明実施の形態のマルチメディア記録装置の一例であり、符号２は本発明実施の形態のマルチメディア記録装置１を主に操作するためのリモコン部である。符号３は所望の映像をマルチ画面や拡大縮小自在な小画面表示が可能な表示部であり、表示部３にはマルチメディア記録装置１の操作状況や、内蔵もしくはオプションとして装填されたメモリ手段の現在の選択状況を表示し（３Ａ）、そしてメモリ手段の残量を表示（３Ｂ）する。
【００２７】
前記マルチメディア記録装置１は大容量メモリ１７であるＭＤ１７Ａ、ＣＤ１７Ｂ、ＤＶＤ１７Ｃ、ＤＶＴＲ１７Ｄ、ＲＡＭ１７Ｅ等のドライブ装置がテレビジョン装置内に内蔵、又はオプションとして装填可能になされている。前記大容量メモリ１７は記録すべき放送サービスや所望の番組ソフトの記録／再生が可能であり、前記大容量メモリ１７のメモリ手段は自動選択モードや、マニュアル選択モードが存在し、マニュアル選択モードにより所望のメモリ手段を選択することが可能である。それらの選択は操作部５の操作やリモコン部２の操作により指定され、表示部３に表示される。５Ａは前記リモコン部２の信号を受光する受光部である。
【００２８】
同図は各種メモリ手段の全てが有効である状態を示しており、前記メモリ手段のＣＤが自動選択されている状態を示す。前記リモコン部２の表示部には、各種制御情報とともにマルチメディア記録装置１の前記表示部３に表示された同一内容を表示可能となされている。
【００２９】
図２はリモコン部２の概要を示し、本発明実施の形態のマルチメディア記録装置１の操作に必要な各種の制御信号が重畳された赤外線や電波を発信する赤外線発信部６や、制御情報を表示するＬＣＤパネル部７、早送りや巻き戻しその他動作の制御を行うジョグダイヤル８、前記メモリ手段の残量を前記マルチメディア記録装置１の表示部３に表示する操作を行うメモリ残量表示スイッチ９や、内蔵もしくはオプションとして装填されたメモリ手段を自動選択モード又はマニュアル選択モードの選択を行うメモリデバイス選択スイッチ１０等で構成される。
【００３０】
次に、図３及び図４を参照して本発明実施の形態のマルチメディア記録装置の構成と動作を説明する。図３は放送の送信側である放送局センタの一例であり、図４の符号１は本発明実施の形態のマルチメディア記録装置であり、符号２はリモコン部である。先ず、図３の放送局センタは通常番組の制作や中継地からの情報を伝える放送カメラ１０１や、データバンクの役割を果たすビデオサーバ１０２、及び映画等の配給会社のデータバンクであるビデオサーバ１０３からの情報を送信装置１０４に集約する。
【００３１】
送信装置１０４内の放送信号とは、スポーツ、ニュース、クイズ、そしてコマーシャル等の通常番組Ａや、地域情報Ｂ、ユーザが自由に閲覧可能な図書資料Ｃ、在宅医療等のサービスを享受するための医療登録Ｄ、ホームショッピングＥ、ゲームＦ、テレビジョン放送の番組ソフト情報を提供するテレビガイドＧ、カラオケＨ、ユーザ間の情報伝達や地域コミュニティ情報の伝達手段であるメッセージ宣伝Ｊ、映画ソフトＫ等であり、これらのあらゆる放送信号は、ＩＤコード発生器１０５により時刻情報やカテゴリ内容等のＩＤコードを付加されてビデオ編集装置１０６で編集された後、地上波や放送衛星１０７、及び同軸ケーブルや光ケーブル１０８を介して各ユーザに向けて送信される。
【００３２】
図４のマルチメディア記録装置１では、放送信号を受信する受信アンテナ１１や、ＣＡＴＶ受信器１２を介してチューナ１３で受信する。デジタル放送信号や現状のアナログ放送信号である放送信号はスイッチ／ＩＯ１４部に入力される。前記スイッチ／ＩＯ１４は、中央処理ユニット１５（以下、単に「ＣＰＵ」と記す）の制御の基で放送信号の選択を行い指定データを得る。
【００３３】
放送信号がアナログ放送信号の場合には、例えば前記ＭＰＥＧ２システム、ＭＰＥＧ２ビデオ、ＭＰＥＧ２オーディオの各データにエンコードするためエンコーダ１６に送出される。エンコーダ１６では入力されたアナログ放送信号を大容量メモリ１７に合致した記録フォーマットに符号化するためのエンコード処理を行う。但し、デジタル放送信号はエンコード処理の必要はないため、エンコーダー１６では未処理のままデジタル放送信号として処理されて大容量メモリ１７に送出され記録される。
【００３４】
前記大容量メモリ１７は、ＭＤ１７Ａ、ＣＤ１７Ｂ、ＤＶＤ１７Ｃ、ＤＶＴＲ１７Ｄ、ＲＡＭ１７Ｅ等から構成されている。バッファメモリ１８では、放送信号の一時待機等の所謂キャッシュメモリ動作を行う。ＣＰＵ１５には図示していないがＲＯＭを内蔵しており、そのＲＯＭには所定の制御プログラムが格納されており、これにより本マルチメディア記録装置１の制御動作を円滑に推進する。
【００３５】
図３の放送局センタから送信される放送信号のフォーマット構成（図示せず）は、放送内容（番組ソフト）を記録するための必要情報が予め記録されているヘッダー部と放送信号部とを最低限含んだパケットで構成され、このパケットは放送番組の先頭に必ず存在するようになされて送信される。前記ヘッダー部には、放送内容検索のためのカテゴリコード等が付加されて送信されており、プログラムＩＤ検出１９でその放送内容に付加されたカテゴリコードをデコードして読取りＣＰＵ１５に送出する。ＣＰＵ１５では、前記カテゴリコードから予め定められたカテゴリ領域を分類し、スイッチ制御２０を介して、スイッチ／ＩＯ１４部に送出される。スイッチ／ＩＯ１４部において最適な大容量メモリ１７を選択する。
【００３６】
大容量メモリ１７の記録内容はデコーダ２１で伸張等の復号処理が施されてコンポジットビデオ信号やＲＧＢのコンポーネント信号として復元され、スイッチ制御２３の制御情報を基にスイッチ／ＩＯ２２を経由してＣＲＴや液晶表示素子等の表示部３に表示される。また、マルチメディア記録装置１には電話回線２４が備えられ、有料放送等の精算をユーザの銀行口座から自動的に行うことが可能である。ＣＰＵ１５内部のにはリモコン部２の信号を受光する受光部を備えリモコン部２から発信された制御フォーマットに応じてデコードを行いＣＰＵ１５内で処理される。
【００３７】
また、本発明実施の形態のＩＤ信号アロケーションを図５を参照して説明する。同図はデジタル放送信号のヘッダー部に付加されて送信されているプログラムＩＤの一例であり、このＩＤ信号アロケーションの構成はプログラムＩＤ５０、記録コントロール５１、そして放送プログラム５２に大別される。プログラムＩＤ５０には放送内容検索のための必要情報が含まれており、記録コントロールＩＤ５１は放送プログラム５２の開始位置と終了位置に介挿されており、放送プログラム５２の記録開始の制御信号や記録モード（通常記録や長時間記録）の指示信号や、記録終了の制御信号や記録終了後の巻き戻し指示の制御信号が介挿されている。
【００３８】
プログラムＩＤ５０内のカテゴリ内容Ｌは、例えば「００１１」の如きＩＤコード付で受信されてた放送プログラム５２は末尾の「１１」が生放送カテゴリを示している。プログラム内容Ｍは、現時点でどういう放送プログラムがどの放送形態で受信されているかの情報であり、その構成はヘッダー情報、番組タイトル、番組が映画であれば、その映画の配給ソフト会社名や、主演者名が表されＩＤコードとの対応が示される。また、番組が有料の場合にはその旨表示され、ユーザＩＤと対応された後に受信料が精算される。現在時刻Ｎは、機器が自動時刻設定機能を備えておりその地域の正確な時刻を内蔵してタイマー予約等に役立てられる。
【００３９】
チャンネル割当て情報Ｏは、放送プログラムの各チャンネルへの割当て状況を示し、放送開始日時情報Ｐは、放送開始情報として放送開始日時が示され、現時点から１週間程度の放送予定情報が放送されて番組予約等に役立てられる。放送終了日時情報Ｑは、放送終了情報として放送終了日時が示される。その他Ｒは、デシタル放送信号では映像や音声信号を例えばＭＰＥＧ２の規格で圧縮して放送されるが、その圧縮率は番組毎に変化するためそのフォーマット情報を付加して放送される。
【００４０】
更に、本発明実施の形態の具体例につき添付図面を参照して説明する。
【００４１】
第１の具体例
本実施の形態は、放送局センタから各番組ソフトと共に送信されてくる各ビデオ信号の内容や時間情報を示すＩＤコードを受信機側で検出して、更に自己の有するメモリ手段の性質や、構成や、メモリ記録可能残量を検出して、これらの検出結果に応じて最適なメモリ手段を自動的に選択する例でありこれを図６を参照して説明する。
【００４２】
ＣＰＵ１５は制御動作スタート（ステップＳＰ１）後、ステップＳＰ２において、マルチメディア記録装置１自身の保有する大容量メモリの把握な行う。ステップＳＰ３では、自己の保有する大容量メモリの記録可能な残量をチェックして記憶する。ステップＳＰ４では、受信した放送プログラムの各種ＩＤコードの放送開始、放送終了、放送時間長の情報を読取り記憶する。引き続きステップＳＰ５にて、ユーザの選択プログラムのコードをチェックして記憶する。この時、ユーザが番組予約を行った場合にはそのプログラムを優先して受理する。ステップＳＰ６において、理想的使用メモリ手段を選択する。
【００４３】
ステップＳＰ７にて、選択されたメモリ手段の記録容量の残量が充分であるか否かの判断を行い、記録容量の残量が充分な場合はステップＳＰ８に移り、充分でない場合は前記ステップＳＰ６に戻る。ステップＳＰ８において、放送時刻の一致状態を確認し、一致した場合には記録動作を終了させ（ステップＳＰ９）、不一致の場合は再度ステップＳＰ８に戻り放送時刻の一致を図るように作用する。
【００４４】
第２の具体例
本実施の形態は、放送局センタから各番組ソフトと共に送信されてくる最適メモリ手段の選択指示コード信号に基づき、優先度の高い順序のメモリ手段を自動的に選択する例でありこれを図７を参照して説明する。
【００４５】
同じく、ＣＰＵ１５は制御動作スタート（ステップＳＰ１）後、ステップＳＰ２において、マルチメディア記録装置１自身の保有する大容量メモリの把握を行う。ステップＳＰ３では、自己の保有する大容量メモリの記録可能な残量をチェックして記憶する。ステップＳＰ４では、受信した放送プログラムの各種ＩＤコードの放送開始、放送終了、放送時間長、及び放送局センタ指示によるメモリ指定コードの情報を読取り記憶する。引き続きステップＳＰ５にて、ユーザの選択プログラムのコードをチェックして記憶する。ステップＳＰ６において、放送局センタ指定による理想的使用メモリ手段の選択を行う。
【００４６】
ステップＳＰ７にて、選択されたメモリの記録容量の残量が充分であるか否かの判断を行い、記録容量の残量が充分な場合はステップＳＰ８に移り、充分でない場合は前記ステップＳＰ６に戻る。ステップＳＰ８において、放送時刻の一致状態を確認し、一致した場合には記録動作を終了させ（ステップＳＰ９）、不一致の場合は再度ステップＳＰ８に戻り放送時刻の一致を図るように作用する。
【００４７】
前記実施の形態では、主にマルチメディア記録装置が自動的に記録媒体を選別して記録する自動記録モードについて説明したが、無論通常の記録装置内蔵テレビジョン装置のように所望の番組ソフトを選択して所望の記録媒体に記録するマニュアル動作も可能である。その場合、図２に示したリモコン部２で所望の番組ソフトが図示しない番組ソフト選択スイッチによりチューナ１３に指示され、チューナ１３で選択される。同じく所望の記録媒体がリモコン部２からＣＰＵ１５に指示され記録動作を開始する。
【００４８】
また、マルチメディア記録装置に内蔵される記録媒体については実施の形態に挙げた例のみならず今後開発が予想される全ての記録媒体を対象とし、マルチメディア記録装置も以上示した一実施形態にとらわれず様々な形態に発展出来ることは言うまでもない。
【００４９】
【発明の効果】
以上説明したように、本発明のデータ受信装置として、例えば将来のマルチメディア対応のテレビジョン装置は、各種大容量メモリであるＭＤや、ＣＤ、ＤＶＤ、ＤＶＴＲ、そしてＲＡＭ等を組込み可能とする形態が採用される可能性が高い。これらの大容量メモリは、日進月歩でその機能、容量、質が向上しており、当初からテレビジョン装置に組込まれた形態ばかりでなく、オプションとしてテレビジョン装置に組込まれる可能性が高い。本発明のデータ受信装置によれば、こうしたマルチメディア装置の到来においても、ユーザは自己の所有する大容量メモリの機能や性質を特別に意識することなく、受信した放送プログラムを最適の状態で失敗なく記録することが可能となる。
【００５０】
例えば、自己の所有する大容量メモリの最長記録時間や、記録後のアクセスの容易さ、記録／再生画像の画質等を自己の所有するテレビジョン装置のＣＰＵにより常に判別し、また受信すべき番組ソフトの種類をそのカテゴリＩＤ信号で判別して最適メモリ手段を選択するため、記録に失敗することない。また、大容量メモリの記録後の処理も容易であり、大容量メモリは放送内容やカテゴリ毎、或いは時間毎に整然と整理されているため、ユーザ同士の貸出や交換等が大変便利となる。更に、海外ニュースや海外市況等の情報をユーザが就寝中に前記ＭＤやＣＤに記録しておき、翌朝簡易再生装置を使用して試聴することも可能である。
【図面の簡単な説明】
【図１】本発明実施の形態のマルチメディア記録装置の構成例を示す概念図である。
【図２】本発明実施の形態のマルチメディア記録装置のリモコン部の一例を示す図である。
【図３】本発明実施の形態のマルチメディア記録装置に関連する放送局センタを示す図である。
【図４】本発明実施の形態のマルチメディア記録装置の要部を示すブロック図である。
【図５】ＩＤ信号アロケーションの説明に供する概略図である。
【図６】本発明の第１の実施の形態のマルチメディア記録装置の動作説明に供するフローチャート図である。
【図７】本発明の第２の実施の形態のマルチメディア記録装置の動作説明に供するフローチャート図である。
【符号の説明】
１  マルチメディア記録装置、  ２  リモコン部、  ３  表示部、  ５  操作部、  ６  赤外線発光部、  ７  ＬＣＤパネル、  ８  ジョグダイヤル、  ９  メモリ残量表示スイッチ、  １０  メモリデバイス選択スイッチ、  １１  受信アンテナ、  １２  ＣＡＴＶ受信器、  １３  チューナ、  １４、２２  スイッチ／ＩＯ、  １５  ＣＰＵ、  １６  エンコーダ、  １７  大容量メモリ、  １８  バッファメモリ、  １９  プログラムＩＤ検出、  ２０、２３  スイッチ制御、  ２１  デコーダ、  ２４  電話回線、  ５０  プログラムＩＤ、  ５１  記録コントロールＩＤ、  ５２  放送プログラム、  １０１  放送カメラ、  １０２  ビデオサーバ、  １０３  ビデオサーバ、  １０４  送信装置、  １０５ＩＤコード発生器、  １０６  ビデオ編集装置、  １０７  放送衛星、  １０８  光ケーブル、  Ａ  通常番組、  Ｂ  地域情報、  Ｃ  図書資料、  Ｄ  医療登録、  Ｅ  ホームショッピング、  Ｆ  ゲーム、  Ｇ  テレビガイド
【図１】
0003564747.tif 000002
【図２】
0003564747.tif 000003
【図３】
0003564747.tif 000004
【図４】
0003564747.tif 000005
【図５】
0003564747.tif 000006
【図６】
0003564747.tif 000007
【図７】
0003564747.tif 000008